(57)【要約】      （修正有）【課題】コンセントや電源プラグに堆積したほこりにより発火する危険があります。コンセントと電源プラグ全体を覆うことにより、汚れやほこりの堆積を防止すると共に、カバーに堆積した汚れやほこり水洗いできる取りはずし可能なコンセント用カバーを提供する。【解決手段】コンセントと電源プラグ全体を覆い、放射状の切り込みを入れたゴム製の穴２ｂにすることで、電源プラグやアース線を差し込んだその穴２ｂの切り込み部分が、コード線やアース線にそうことが出来、穴が最小限になり、カバー内部の密閉度を高める事ができる。【選択図】図１
2005235722.tif 000002
【特許請求の範囲】
【請求項１】
電源プラグとコンセント全体を覆う事によって、プラグとコンセントの汚れやほこりの堆積を防止すると共に、取り外しが可能で水洗いできるコンセント用カバーであって、
「１）コンセントに対面した面１はゆるやかな船底型の形状を有し、その面１に、穴２をあける。ゴム性で前記の穴２の直径より１センチ大きく、中央一点から放射状に切り込みを入れた穴２ａをつくり、その穴２ａ二個を各々、切り込み線をずらして、その切り込み線から外側にむけて前記の穴２の寸法まで貼りあわせ、前記の穴２に、はめ込んだ穴２ｂを形成する。前記の面１に、もち手を設けてその一端を開閉可能な扉として側面一端に装着する。
２）コンセント本体を包囲する側面四面は伸縮可能にするためにアコーディオン式に形成すると共に、前記の穴２ｂをその一面に設ける。
３）カギホックの構成からなる装置３ａ及び、装置３ｂの両装置を形成する。側面二箇所に横桟を設け、その横桟の中央部分に前記装置３ａを形成すると共に、前記装置３ｂは、台座を設け、その裏面に両面テープを用いてコンセントプレートに接着する。
以上、１）２）３）の構成からなるコンセント用カバー。」
【請求項２】
プラグとタップ全体を覆うことによって、プラグとタップの汚れやほこりの堆積を防止すると共に、水洗いができるタップ用カバーであって、
長方形の箱型で前記の船底型の面１はその蓋になります、その面は、前記１）の構成からなる。
箱型の側面は前記のアコーディオン式にすると共に、相対する二面に前記の穴２ｂを形成することで蓋つきの箱の中にプラグとタップ全体を収納し、汚れやほこりの堆積を防止すると共に、カバーだけの水洗いが可能なことを特徴とするタップ用カバー。
【発明の詳細な説明】
【技術分野】
【０００１】  本発明は、コンセント用カバーに関する。
【背景技術】
【０００２】  従来のコンセントカバーは、密閉度が低く又、本体に接着しているため、カバーの洗浄が容易でない。
【発明の開示】
【発明が解決しようとする課題】
【０００３】  カバーの密閉度が低いと防塵効果が薄く、発火による火災の危険がある。又、カバーの汚れやほこりの洗浄が容易でないという問題点がある。本発明は、その問題点に鑑みなされたもので、請求項１及び請求項２記載の発明は、汚れやほこりの堆積を防止すると共に、カバーの取り外しが可能なことにより、カバーの洗浄が容易にできるコンセント用カバー、タップ用カバーを提供することを目的とする。
【課題を解決するための手段】
【０００４】  電源プラグとコンセント全体を覆う事によって、プラグとコンセントの汚れやほこりの堆積を防止すると共に、取り外しが可能で水洗いできるコンセント用カバーであって、
「１  コンセントに対面した面１はゆるやかな船底型の形状を有し、その面１に、穴２をあける。ゴム性で前記の穴２の直径より１センチ大きく、中央一点から放射状に切り込みを入れた穴２ａをつくり、その穴２ａ二個を各々、切り込み線をずらし、その切り込み線から外側にむけて前記の穴２の寸法までを貼りあわせて、前記の穴２にはめ込んだ穴２ｂを形成する。前記の面１に、もち手を設けてその一端を開閉可能な扉として側面一端に装着する。
２）コンセント本体を包囲する側面四面は伸縮可能にするためにアコーディオン式に形成すると共に、前記の穴２ｂをその一面に設ける。
３）カギホックの構成からなる装置３ａ及び、装置３ｂの両装置を形成する。側面二箇所に横桟を設けその中央部分に前記装置３ａを形成すると共に、前記装置３ｂに台座を設け、その裏面に両面テープを用いてコンセントプレートに接着します。
以上、１）２）３）の構成からなるコンセント用カバー」
プラグとタップ全体を覆うことによって、プラグとタップの汚れやほこりの堆積を防止すと共に、水洗いができるタップ用カバーであって、
長方形の箱型で前記の船底型の面１はその蓋になります、その面は、前記１）の構成からなる。箱型の側面は前記のアコーディオン式にすると共に、相対する二面に前記の穴２ｂを形成することで蓋つきの箱の中にプラグとタップ全体を収納し、汚れやほこりの堆積を防止すると共に，カバーだけの水洗いが可能なことを特徴とするタップ用カバー。
【発明の効果】
【０００５】  従来のコンセント用カバーは密閉度が低いため、付着したほこりによりその部分から発火することがある、又、カバーの洗浄が容易ではない。本発明のカバーは全体を覆うことにより汚れやほこりの堆積を防止し、又、カバーをとりはずして水洗いできるので、大型の電気器具や家具の裏側等、特に掃除が困難な個所に位置するコンセントの発火を防止、又、カバーの清掃に効果がある。
【発明を実施するための最良の形態】
【０００６】  切り込み部分が差し込んだ電源コード線にそう状態になり密着するように、前記の穴２ｂを形成する。又、側面のアコーディオン式形態は、各プラグの大小に合わせられるように伸縮可能な軟性プラスティックを用いる。汚れやほこりを水洗いで簡単にとれるようにするために、カギホックの構成装置を用いてとりはずし可能にする。形状の異なるコンセント本体にあわせたサイズ、穴の数を形成する。タップ用カバーも同様に、本体にあわせたサイズや、穴の数を形成し、蓋つきの箱の中にすっぽり入るようにする。
【図面の簡単な説明】
【０００７】
【図１】「コンセント用、開閉式の蓋をあけた防塵用カバーの右斜方から見た図ある。」
【図２】「船底型カーブ面１の穴２にはめこんだゴム製の穴２ｂの平面図である。」
【図３】「ゴム製の穴２ｂを面１の穴２にはめ込み電源コード線が差し込まれている状態の穴２ｂの断面図である。」
【図４】「コンセントカバー用のとりはずし可能なカギホック構成の両装置の図である。」
【図５】「箱型で開閉式の蓋をあけた防塵用タップ用カバーの左斜方から見た図である。」
【符号の説明】
【０００８】１は、船底型形状の面で、蓋の役目をします。
１ａは、船底型形状の面に形成した、開閉用のもち手。
２は、船底型面１にあけた穴です。
２ｂは、中央一点から放射状に切り込みをいれ、切り込み線をずらして、切り込み線から前記面１の穴２の寸法まで貼りあわせたゴム製の穴で、面１の穴２にはめこんだ穴です。
２ｃは、穴２ｂの切り込みの部分
２ｄはゴム性の穴２ｂの外郭
２ｅは、面１にあけた穴２の外郭
２ｆは、ゴム性の穴２ｂの貼り合わせた範囲
３ａ、及び、３ｂは、カギホック構成の甲乙両装置。
４は、アコーディオン式の側面
４ａは、アコーディオン式の側面に設けた横桟。
５は、コンセント
【図１】
2005235722.tif 000003
【図２】
2005235722.tif 000004
【図３】
2005235722.tif 000005
【図４】
2005235722.tif 000006
【図５】
2005235722.tif 000007